(57)【要約】【課題】子供用ステップ板に立ち乗りした子供用ハンドルを握った子供と、乳幼児用座席に腰掛けた乳幼児の二人を運べるショッピングカートにおいて、乳幼児の乗せ降ろしや買物カゴの載せ降ろしをしやすくする。【解決手段】ショッピングカート１は、基枠２と、基枠から立設した左右の支柱５，６と、左右の支柱の前に設けられた上部カゴ載せ１５と、上部カゴ載せの後あおり壁１６に設けられた乳幼児用座席２０と、基枠の後部の上方に設けられた子供用ステップ板１１と、左右の支柱の一部に又は該一部から延出して設けられ、相互間に左右方向の５ｃｍ以上の隙間Ｃ２をおいて分離した左右の子供用ハンドル９と、左右の支柱の一部に又は該一部から延出して設けられ、相互間に左右方向の４０ｃｍ以上の隙間Ｃ１をおいて分離した左右の客用ハンドル７とを備える。【選択図】図１
2020045046.tif 000002
【特許請求の範囲】
【請求項１】
基枠（２）と、
基枠（２）から立設した左右の支柱（５，６）と、
左右の支柱（５，６）の前に設けられた上部カゴ載せ（１５）と、
上部カゴ載せ（１５）の後あおり壁（１６）に設けられた乳幼児用座席（２０）と、
基枠（２）の後部の上方に設けられた子供用ステップ板（１１）と、
左右の支柱（５，６）の一部に又は該一部から延出して設けられ、相互間に左右方向の５ｃｍ以上の隙間（Ｃ２）をおいて分離した左右の子供用ハンドル（９）と、
左右の支柱（５，６）の一部に又は該一部から延出して設けられ、相互間に左右方向の４０ｃｍ以上の隙間（Ｃ１）をおいて分離した左右の客用ハンドル（７）と
を備えていることを特徴とするショッピングカート。
【請求項２】
左右の支柱は、それぞれ、基枠（２）の前後方向中間部から立設した第１支柱（５）と、基枠（２）の後部から立設した第２支柱（６）とからなる請求項１記載のショッピングカート。
【請求項３】
左右の客用ハンドル（７）は、それぞれ、第２支柱（６）の前傾した上部からなる請求項２記載のショッピングカート。
【請求項４】
左右の子供用ハンドル（９）は、それぞれ、第１支柱（５）の上部から延出して、客用ハンドル（７）の前方に位置する請求項２又は３記載のショッピングカート。
【請求項５】
左右の子供用ハンドル（９）は、それぞれ、第１支柱（５）の上部及び第２支柱（６）の上部の少なくともいずれか一方から延出して、客用ハンドル（７）の内側方に位置する請求項２又は３記載のショッピングカート。
【発明の詳細な説明】
【技術分野】
【０００１】
本発明は、スーパーマーケット等の販売店で買い物をする際に使用するショッピングカートに関する。
【背景技術】
【０００２】
ショッピングカートのなかには、買物カゴを運ぶだけでなく、子供連れで買い物をする際の便宜のために、子供を一緒に運べるようにしたタイプがある。このタイプとしては、乳幼児が腰掛けることができる乳幼児用座席を設けたものが一般的であるが（特許文献１〜３）、近年、子供（幼児ないし低学年学童）が立って載ることができる床面（ステップ板）を設けたものも提案されている（特許文献４，５）。
【０００３】
特許文献４，５のショッピングカートは、車台と、支柱と、操作ハンドルと、上部かご枠とを備え、車台には前記ステップ板が設けられ、上部かご枠には乳幼児を座らせられる乳幼児用座席が設けられている。支柱は、車台から立設する縦部材と、縦部材を支持する支持部材と、縦部材の両側部（垂直部分）を連結する横部材とを有している。縦部材は、その上端が後方に屈曲されるとともに折り返して前方に屈曲されたのち、左右に屈曲されて連結されている。この後方に屈曲されるとともに折り返す部分により、大人用（客用）ハンドルが形成される。また、この左右に屈曲されて連結される部分により、ステップ板に立ち乗りした子供が握る子供用ハンドルが形成される。よって、子供と乳幼児の二人をショッピングカートに乗せて運ぶことができる。
【先行技術文献】
【特許文献】
【０００４】
【特許文献１】実開昭５７−２２４６６号公報
【特許文献２】特開平２−７４４６２号公報
【特許文献３】特開平９−３９７９７号公報
【特許文献４】特開２０１１−２４６０７７号公報
【特許文献５】特開２０１５−７７９７０号公報
【発明の概要】
【発明が解決しようとする課題】
【０００５】
しかし、特許文献４，５のショッピングカートは、乳幼児用座席とショッピングカートの後ろに立つ客との間に、左右に連結される子供用のハンドルがあるため、次の問題があった。
・ショッピングカートの後ろから乳幼児用座席に乳幼児を乗せ降ろしする際に、客は、乳幼児の足が子供用のハンドルにかからないように乳幼児を高く持ち上げる必要があり、載せ降ろしがしにくかった。
・ショッピングカートの後ろから上部かご枠に買物カゴを載せ降ろしする際に、客は、買物カゴを持つ手を子供用ハンドルの上を越えさせる必要があり、載せ降ろしがしにくかった。
【０００６】
そこで、本発明の目的は、子供用ステップ板に立ち乗りし子供用ハンドルを握った子供と、乳幼児用座席に腰掛けた乳幼児の二人を運ぶことができるショッピングカートにおいて、ショッピングカートの後ろから、乳幼児用座席に乳幼児を乗せ降ろしたり、上部かご枠に買物カゴを載せ降ろししたりする作業をしやすくすることにある。
【課題を解決するための手段】
【０００７】
本発明のショッピングカートは、
基枠（２）と、
基枠（２）から立設した左右の支柱（５，６）と、
左右の支柱（５，６）の前に設けられた上部カゴ載せ（１５）と、
上部カゴ載せ（１５）の後あおり壁（１６）に設けられた乳幼児用座席（２０）と、
基枠（２）の後部の上方に設けられた子供用ステップ板（１１）と、
左右の支柱（５，６）の一部に又は該一部から延出して設けられ、相互間に左右方向の５ｃｍ以上の隙間（Ｃ２）をおいて分離した左右の子供用ハンドル（９）と、
左右の支柱（５，６）の一部に又は該一部から延出して設けられ、相互間に左右方向の４０ｃｍ以上の隙間（Ｃ１）をおいて分離した左右の客用ハンドル（７）と
を備えていることを特徴とする。
【０００８】
［作用］
子供用ステップ板と子供用ハンドルとを備えたことにより、子供は子供用ステップ板に立ち乗りして子供用ハンドルを握ることができる。また、乳幼児用座席を備えたことにより、乳幼児を乳幼児用座席に腰掛けさせることができる。よって、客は、客用ハンドルを握り、子供と乳幼児の二人をショッピングカートに乗せて運ぶことができる。
【０００９】
互いに分離して左右方向に４０ｃｍ以上の隙間（Ｃ１）をおいた左右の客用ハンドルと、互いに分離して左右方向に５ｃｍ以上の隙間（Ｃ２）をおいた左右の子供用ハンドルを備えたことにより、次の作用効果が得られる。
・ショッピングカートの後ろから乳幼児用座席に乳幼児を乗せ降ろしする際に、客は、自分の身体を客用ハンドルの隙間（Ｃ１）に入れ、乳幼児の足を子供用ハンドルの隙間（Ｃ２）を通過させることができ、乳幼児をさほど高く持ち上げる必要はないので、乗せ降ろしがしやすい。
・ショッピングカートの後ろから上部カゴ載せに買物カゴを載せ降ろしする際に、客は、自分の身体を客用ハンドルの隙間（Ｃ１）に入れ、買物カゴを持つ手を子供用ハンドルの隙間（Ｃ２）を通過させることができるため、載せ降ろしがしやすい。
隙間（Ｃ１）の上限は、特にないが、あえていえば７０ｃｍ以下である。
隙間（Ｃ２）の上限は、特にないが、あえていえば６０ｃｍ以下である。
【発明の効果】
【００１０】
本発明によれば、子供用ステップ板に立ち乗りし子供用ハンドルを握った子供と、乳幼児用座席に腰掛けた乳幼児の二人を運ぶことができるショッピングカートにおいて、ショッピングカートの後ろから、乳幼児用座席に乳幼児を乗せ降ろしたり、上部かご枠に買物カゴを載せ降ろししたりする作業がしやすいという優れた効果を奏する。
【図面の簡単な説明】
【００１１】
【図１】図１は、実施例１のショッピングカートを正面側から見た斜視図である。
【図２】図２は、同ショッピングカートを背面側から見た斜視図である。
【図３】図３は、実施例２のショッピングカートを正面側から見た斜視図である。
【図４】図４は、同ショッピングカートを背面側から見た斜視図である。
【発明を実施するための形態】
【００１２】
１．支柱
ここで、左右の支柱は、それぞれ１本からなる態様や、それぞれ、基枠の前後方向中間部から立設した第１支柱と、基枠の後部から立設した第２支柱とからなる態様等を例示できる。後者の態様は、支柱の強度が高い点で好ましい。
【００１３】
２．客用ハンドル
この後者の態様において、左右の客用ハンドルは、それぞれ、第２支柱の前傾した上部からなる態様を例示できる。この前傾の程度は、垂直に対して５０〜７０度の前傾が好ましい。買物客が客用ハンドルを握りやすいからである。
【００１４】
３．子供用ハンドル
左右の子供用ハンドルは、それぞれ、第１支柱の上部から延出して、客用ハンドルの前方に位置する態様を例示できる。
【００１５】
左右の子供用ハンドルは、それぞれ、第１支柱の上部及び第２支柱の上部の少なくともいずれか一方から延出して、客用ハンドルの内側方に位置する態様も例示できる。
【００１６】
４．ガード部材
第１支柱と第２支柱の間に、子供用ステップ板に立った子供（又は置いた物品）の側方移動範囲を規制する側方ガード部材が設けられていることが好ましい。第２支柱も側方移動範囲を規制するが、さらに側方ガード部材が設けられていると、第１支柱と第２支柱の間において同規制機能が得られるからである。
【００１７】
子供用ステップ板の前端部の上に、子供用ステップ板に立った子供の（又は置いた物品）の前方移動範囲を規制する前方ガード部材が設けられていることが好ましい。上部カゴ載せも前方移動範囲を規制するが、さらに前方ガード部材が設けられていると、上部カゴ載せの下方において同規制機能が得られるからである。
【００１８】
５．乳幼児用座席
乳幼児用座席は、後あおり壁に接近して折り畳まれた折り畳み状態から、上部カゴ載せの後半部上方に繰り出された使用状態へと変更できるように構成されていることが好ましい。
【実施例】
【００１９】
次に、本発明の実施例について図面を参照して説明する。但し、説明する各部の構造、形状、数量等は例示であり、発明の趣旨を逸脱しない範囲で適宜変更できる。
【００２０】
［実施例１］
図１及び図２に示す実施例１のショッピングカート１は、基枠２と、基枠２から立設した左右の支柱５，６と、左右の支柱５，６の高さ方向中間部の前に設けられた上部カゴ載せ１５と、上部カゴ載せ１５の後あおり壁１６に設けられた乳幼児用座席２０と、基枠２の後部の上方に設けられた子供用ステップ板１１と、左右の支柱５，６の上部から延出して（又は該上部に）設けられた左右の子供用ハンドル９と、左右の支柱５，６の上部に（又は該上部から延出して）設けられた左右の客用ハンドル７とを備える。ショッピングカート１は、さらに下部カゴ載せ１４、乳幼児用座席２０、及びキャスター２５を備える。
【００２１】
基枠２は、左右に延びる前枠３と、前枠３の左右端から後方へ延びる左右の側枠４とを含む。基枠２は、金属製のフレーム材（フレームを構成可能な例えばパイプ材、型材等の素材。以下同じ。）からなる。キャスター２５は、左右の側枠４の前端付近と、左右の第１支柱５の下に取り付けられている。
【００２２】
左右の支柱は、それぞれ、側枠４の前後方向中間部から立設した第１支柱５と、側枠４の後部から立設した第２支柱６とからなる。第１支柱５と第２支柱６とは金属製のフレーム材からなり、第１支柱５の上端と第２支柱６の上端とは連続しており屈曲形状となっている。
【００２３】
左右の第１支柱５は、左右の側枠４の前後方向中間部から、まず垂直に上へ５〜２０ｃｍ延び、続いて屈曲により垂直に対して１５〜２５度ほど前傾して上へ１５〜３０ｃｍ延び、続いて屈曲により垂直に対して１０〜２０度ほど後傾して上へ２５〜３０ｃｍ延び、続いて屈曲により垂直に対して４５〜６０度ほど後傾して上へ５〜２０ｃｍ延びており、側枠４の上面からの高さが６５〜８０ｃｍである。
【００２４】
左右の第２支柱６は、左右の側枠４の後部から、まず垂直に上へ５〜２０ｃｍ延び、続いて屈曲により垂直に対して３５〜５５度ほど前傾して上へ１５〜３０ｃｍ延び、続いて屈曲により垂直に対して１５〜３５度ほど後傾して上へ２０〜３５ｃｍ延び、続いて屈曲により垂直に対して５０〜７０度ほど前傾して上へ５〜２０ｃｍ延びた上部（これが客用ハンドル７）となっており、側枠４の上面からの高さが６５〜８０ｃｍである。
【００２５】
子供用ハンドル９は、子供用ステップ板１１に立って載った子供が握るものである。子供用ハンドル９は、第１支柱５の後傾した上部の中間部から斜め前上方に延出してから、屈曲して左右方向内側へ延出し、延出端が自由端である片持梁状のハンドルであり、金属製のフレーム材からなり、図示例では基端が第１支柱５の上部に溶接固定されている。子供用ハンドル９は、フレーム材のままでもよいし、フレーム材の外周に取り付けられた樹脂、ゴム等の高分子材料製の筒状のグリップ（図示略）を含むものでもよい。左右の子供用ハンドル９は、相互間に左右方向の５〜２５ｃｍ（好ましくは７〜２０ｃｍ）の隙間Ｃ２（グリップにより隙間が小さくなるときは、グリップ間の隙間）をおいて分離している。
【００２６】
客用ハンドル７は、上記のとおり左右の第２支柱６の前傾した上部からなる。客用ハンドル７は、フレーム材のままでもよいし、フレーム材の外周に取り付けられた樹脂、ゴム等の高分子材料製の筒状のグリップ（図示略）を含むものでもよい。左右の客用ハンドル７は、相互間に左右方向の４０〜７０ｃｍ（好ましくは４５〜６５ｃｍ）の隙間Ｃ１（グリップにより隙間が小さくなるときは、グリップ間の隙間）をおいて分離している。
【００２７】
子供用ステップ板１１は、子供（幼児ないし低学年学童）が立って載ることができるものであり、金属、樹脂等によりその上で子供が跳ねても耐えうる強度に形成されている。子供用ステップ板１１は、第１支柱５の下部の後ろにある。ショッピングカート１のネスティング時に、子供用ステップ板１１の下方へ後ろのショッピングカートの基枠２が進入しうるように、子供用ステップ板１１の下面レベルは基枠２の上面レベルよりも上方にある。子供用ステップ板１１をこの高さに支えるために、子供用ステップ板１１は、例えば、左の第１支柱５と第２支柱６の下部間に架設された支持バー１２と、右の第１支柱５と第２支柱６の下部間に架設された支持バー１２との間に、架け渡されている。
また、子供用ステップ板１１は、買物カゴを載せられる大きさに形成されている。
【００２８】
第１支柱５と第２支柱６の間に、子供用ステップ板１１に立った子供（又は置いた物品）の側方移動範囲を規制する側方ガード部材１３が設けられている。第２支柱６も側方移動範囲を規制するが、さらに側方ガード部材１３が設けられていると、第１支柱５と第２支柱６の間において同規制機能が得られる。
図示例の側方ガード部材１３は、第１支柱５と第２支柱６と側枠４とで囲まれる空間の下端から上部カゴ載せ１５の上端レベルまでにわたる金属製のパネル状であるため、同規制機能が高く、また、表面に絵柄や文字を付けたり広告シートを貼ったりすることができる。側方ガード部材１３は、同空間の全体又は一部にわたるパネル状、ネット状、柵状、棒状等でもよい。側方ガード部材１３は、樹脂製でもよい。
図示例の側方ガード部材１３は、第１支柱５、第２支柱６及び子供用ステップ板１１に取り付けられているが、取り付け先はこれに限定されない。
【００２９】
子供用ステップ板１１の前端部の上に、子供用ステップ板１１に立った子供の（又は置いた物品）の前方移動範囲を規制する前方ガード部材１７が設けられている。上部カゴ載せ１５も前方移動範囲を規制するが、さらに前方ガード部材１７が設けられていると、上部カゴ載せ１５の下方において同規制機能が得られる。
図示例の前方ガード部材１７は、子供用ステップ板１１と上部カゴ載せ１５と左右の第１支柱５とで囲まれた空間の全体にわたる金属製のネット状であるため、同規制機能が高い。前方ガード部材１７は、同空間の全体又は一部にわたる板状、柵状、棒状等でもよい。前方ガード部材１７は、樹脂製でもよい。
図示例の前方ガード部材１７は、左右の第１支柱５に取り付けられているが、取り付け先はこれに限定されない。
【００３０】
下部カゴ載せ１４は、基枠２の前部の上に設けられており、第１支柱５の下部の前にある。下部カゴ載せ１４は、第１支柱５に固定された後柵と、後柵の下部から前方へ延びた下柵と、下柵の全部を上向きに曲げた前柵と、左右の側枠４に立設した左右の側柵とからなる。
【００３１】
上部カゴ載せ１５は、左右の子供用ハンドル９に固定された回動支持材１８に対して上端部が回動可能に掛着された後あおり壁１６と、第１支柱５に固定された左右の側壁と、側壁に続く底壁と、側壁及び底壁に続く前壁とからなる。ショッピングカートのネスティング時に、上部カゴ載せ１５の内部へ後ろのショッピングカートの上部カゴ載せが進入できるように、後あおり壁１６は後ろの上部カゴ載せにあおられて上方へ回動する。
【００３２】
乳幼児用座席２０は、乳幼児が後あおり壁１６より前で後ろ向きに腰掛けることができるように構成され、後あおり壁１６に取り付けられている。乳幼児用座席２０は、先端が後あおり壁１６に回動可能に軸着された座２１と、座２１の基端に回動可能に軸着された背当２２とを含み構成されている。乳幼児用座席２０は、図１に示すように、座２１と背当２２が後あおり壁１６に接近して折り畳まれた折り畳み状態から、図２に示すように、座２１と背当２２が上部カゴ載せ１５の後半部上方に繰り出された使用状態へと変更できるように構成されている。
【００３３】
以上のように構成された本実施例のショッピングカート１によれば、次の作用効果が得られる。
（１）上部カゴ載せ１５と下部カゴ載せ１４に買物カゴを載せることができる。また、子供用ステップ板１１に子供が立ち乗りしないときには、子供用ステップ板１１にも買物カゴを載せることができる。
【００３４】
（２）子供用ステップ板１１と子供用ハンドル９とを備えたことにより、子供は子供用ステップ板１１に立ち乗りして子供用ハンドル９を握ることができる。また、乳幼児用座席２０を備えたことにより、乳幼児を乳幼児用座席２０に腰掛けさせることができる。よって、客は、客用ハンドル７を握り、子供と乳幼児の二人を乗せたショッピングカートを運ぶことができる。
【００３５】
（２）互いに分離して左右方向に４０ｃｍ以上の隙間をおいた左右の客用ハンドル７と、互いに分離して左右方向に５ｃｍ以上の隙間をおいた左右の子供用ハンドル９を備えたことにより、次の作用効果が得られる。子供用ステップ板１１があると、その分、客から上部カゴ載せ１５までのアクセス距離が大きくなるため、同作用効果は有用である。
・ショッピングカート１の後ろから乳幼児用座席２０に乳幼児を乗せ降ろしする際に、客は、自分の身体を客用ハンドル７の隙間Ｃ１に入れ、乳幼児の足を子供用ハンドル９の隙間Ｃ２を通過させることができ、乳幼児をさほど高く持ち上げる必要はないので、乗せ降ろしがしやすい。
・ショッピングカート１の後ろから上部カゴ載せ１５に買物カゴを載せ降ろしする際に、客は、自分の身体を客用ハンドル７の隙間Ｃ１に入れ、買物カゴを持つ手を子供用ハンドル９の隙間Ｃ２に入れることができるため、載せ降ろしがしやすい。
【００３６】
（３）第１支柱５と第２支柱６とは、上端どうしが連結されていることにより、互いに補強し合って強度が高くなっている。そのため、買物客が客用ハンドル７を握り、子供が子供用ハンドル９を握ったときの、剛性感と安定性が高い。
【００３７】
（４）客用ハンドル７である第２支柱６の上部は、垂直に対して５０〜７０度前傾したものであるから、買物客が握りやすい。
【００３８】
［実施例２］
次に、図３及び図４に示す実施例２のショッピングカート１は、左右の子供用ハンドル９が、それぞれ、第１支柱５の上部及び第２支柱６の上部から延出して互いに繋がる平面視コ字状のハンドルであり、客用ハンドル７の内側方に位置する点において実施例１と相違するものである。子供用ハンドル９は、金属製のフレーム材からなり、図示例では両端が第１支柱５の上部及び第２支柱６の上部に溶接固定されている。子供用ハンドル９は、フレーム材のままでもよいし、フレーム材の外周に取り付けられた樹脂、ゴム等の高分子材料製の筒状のグリップ（図示略）を含むものでもよい。左右の子供用ハンドル９は、相互間に左右方向の３５〜６０ｃｍ（好ましくは４０〜５５ｃｍ）の隙間Ｃ２（グリップにより隙間が小さくなるときは、グリップ間の隙間）をおいて分離している。後あおり壁１６は、左右の第１支柱５の上部間に固定された回動支持材１８に対して回動可能に掛着されている。
【００３９】
その他の構成は実施例１と共通であり、本実施例によっても実施例１と同様の作用効果が得られる。
【００４０】
なお、本発明は前記実施例の構成に限定されるものではなく、発明の趣旨から逸脱しない範囲で、適宜変更して具体化することもできる。
【符号の説明】
【００４１】
１    ショッピングカート
２    基枠
３    前枠
４    側枠
５    第１支柱
６    第２支柱
７    客用ハンドル
９    子供用ハンドル
１１    子供用ステップ板
１２    支持バー
１３    側方ガード部材
１４    下部カゴ載せ
１５    上部カゴ載せ
１６    後あおり壁
１７    前方ガード部材
１８    回動支持材
２０    乳幼児用座席
２１    座
２２    背当
２５    キャスター
Ｃ１    （左右の客用ハンドルの）隙間
Ｃ２    （左右の子供用ハンドルの）隙間
【図１】
2020045046.tif 000003
【図２】
2020045046.tif 000004
【図３】
2020045046.tif 000005
【図４】
2020045046.tif 000006